(57)【特許請求の範囲】
【請求項１】
通常時に他装置との通信に用いられる、第１の周波数帯域を用いて情報を送受信する第１送受信手段と、
前記第１の周波数帯域より周波数の小さい第２の周波数帯域を用いて情報を送受信する第２送受信手段と、
前記第１送受信手段のみへ電源を供給する第１モードと、前記第２送受信手段へのみへ電源を供給する第２モードと、前記第１送受信手段及び第２送受信手段へ電源を供給する第３モードとの何れかのモードへ切替可能であり、通常は、所定期間ごとに前記第１モードから前記第３モードへの切り替えを行う切替手段と、
前記第３モード時に、前記第２送受信手段で受信した情報に緊急用の特定信号が含まれるか否かを判断する判断手段と、
前記判断手段によって該特定信号が含まれることを判断した際に、その旨を
前記切替手段へ通知を行う通知手段と、を備え、
前記切替手段は、前記通知手段からの通知を受けると、前記第２モードへ切り替えて、前記第２送受信手段によって情報を送信するようにしたことを特徴とする携帯電話装置。
【請求項２】
前記第２送受信手段で送信する情報は、この携帯電話装置のユニークなＩＤであることを特徴とする請求項１記載の携帯電話装置。
【請求項３】
前記第２の周波数帯域は、長波または中波に該当する周波数帯域であることを特徴とする請求項１ないし請求項２の何れかの携帯電話装置。
【請求項４】
通常時に、他装置との通信に用いられる、第１の周波数帯域を用いて情報を送受信する第１送受信部と、前記第１の周波数帯域より周波数の小さい第２の周波数帯域を用いて情報を送受信する第２送受信部とを備える携帯電話装置の送受信部切替方法であって、
所定期間をカウントし、
該所定期間に到達すると、前記第１送受信部のみへの電源供給から、前記第１送受信部及び第２送受信部への電源供給へ、切り替えを行い、
前記第１送受信部及び第２送受信部への電源供給時に、前記第２送受信部で受信した情報に緊急用の特定信号が含まれるか否かを判断し、
この判断の結果、該特定信号が含まれることを判断した際に、前記第２送受信部のみへの電源供給へ、切り替えを行い、
該判断の結果、該特定信号が含まれていないことを判断した際に、前記第１送受信部のみへの電源供給へ、切り替えを行うようにしたことを特徴とする送受信手段切替方法。
【発明の詳細な説明】
【０００１】
【発明の属する技術分野】
本発明は、携帯電話装置に係り、特に災害などにより、携帯電話装置では通信不可能な域に閉じ込められた場合や、瓦礫などで生き埋めになった場合であっても、外部へ自装置の存在を知らしめるようにした携帯電話装置、および、送受信手段切替方法に関する。
【０００２】
【従来の技術】
最近の携帯電話装置は、本来の機能である通話機能の他に電子メール機能やインターネットへの接続機能などの多数の機能を備えている。
【０００３】
ところで、現状の携帯電話装置は、災害時などで比較的密集した地域で多数の人がほぼ同時に利用しようとする状況下では、中継局とのチャネル数（回線数）の制限などによって、利用が困難であった。
【０００４】
そこで、携帯電話装置にＡＭ／ＦＭラジオを受信する機能を備えた提案が特開２００１−１２７８４９号公報で開示されている。
【０００５】
また、特開平１０−４１８７５号公報では、緊急時に、無線基地局から緊急を意味する特定の制御信号を受信すると、制御手段が起動し、通常用いていない送信周波数へ切替え、緊急受信を行って使用者へ報知する携帯電話装置が提案されている。
【０００６】
【発明が解決しようとする課題】
上記した提案によって、携帯電話装置を所有するユーザは、従来では回線が混みあって、知ることすらできなかった緊急情報を知ることができた。特に、後者の提案においては、携帯電話装置の使用者の要求の有無に関わらず、報知され、緊急情報の伝達においては大変有用であった。
【０００７】
しかしながら、特に災害が生じたときには、上記したように緊急情報の伝達は重要ではあるが、それと同様に、ユーザ自身の存在を外部に知らしめることも重要である。
【０００８】
一般に、長波（〜３００ｋＨｚ）や中波（〜３ＭＨｚ）のような周波数が低い帯域の電波は、空気中を地表面に沿って届き、超短波、マイクロ波等の３０ＭＨｚ以上の周波数の高い電波は、直進性が強く、障害物があると電波が届きにくい性質がある。携帯電話装置で用いられる電波の周波数帯域は、一般に準マイクロ波と言われ、後者に属する。なお、電波の周波数と呼称の一般例を図５に示す。
【０００９】
上記の特開２００１−１２７８４９号公報の携帯電話装置では、災害などにより、密閉された空間などに閉じ込められ、携帯電話装置で許可される周波数が届かないという場合であっても、ＡＭで許可される周波数は届きやすいので、緊急放送を受信することは可能であった。しかし、このような携帯電話装置では、瓦礫の中で動けないような状況下では操作できないため、有効に利用できないといった問題が残っている。
【００１０】
一方、特開平１０−４１８７５号公報では、この問題点を解決できる。すなわち、携帯電話装置は、外部からの特定の制御信号を受信すると、緊急受信用の周波数へ切り替えを行って緊急受信を行ってユーザへ報知できる。
【００１１】
しかしながら、何れの場合も、緊急情報の取得はできるが自身の存在を知らせることには欠けており、そのような点については何も開示されていなく、そのような課題が残っている。
【００１２】
本発明は、このようなことを鑑みてなされたものであり、災害により携帯電話装置の通信周波数が使えないような状況下であっても、自身の存在を外部に知らしめることが可能な携帯電話装置、および、送受信手段切替方法を提供することを目的とする。
【００１３】
また、これより重度な状況下である携帯電話装置を操作することすらできないような状況下であっても、自身の存在を外部に知らしめることが可能な携帯電話装置、送受信手段切替方法を提供することを目的とする。
【００１４】
【課題を解決するための手段】
上記した課題を解決するために本発明の携帯電話装置は、第１の周波数帯域を用いて情報を送受信する送受信手段と、前記第１の周波数帯域より周波数の小さい第２の周波数帯域を用いて情報を送信する送信手段と、を備えた携帯電話装置であって、緊急時には、前記送信手段を用いて、情報を送信するようにした。
【００１５】
これにより、災害により携帯電話装置の通信周波数が使えないような状況下であっても、自身の存在を外部に知らしめることができるようになった。
【００１６】
また、本発明の携帯電話装置は、通常時に他装置との通信に用いられる、第１の周波数帯域を用いて情報を送受信する第１送受信手段と、前記第１の周波数帯域より周波数の小さい第２の周波数帯域を用いて情報を送受信する第２送受信手段と、前記第１送受信手段のみへ電源を供給する第１モードと、前記第２送受信手段へのみへ電源を供給する第２モードと、前記第１送受信手段及び第２送受信手段へ電源を供給する第３モードとの何れかのモードへ切替可能であり、通常は、所定期間ごとに前記第１モードから前記第３モードへの切り替えを行う切替手段と、前記第３モード時に、前記第２送受信手段で受信した情報に緊急用の特定信号が含まれるか否かを判断する判断手段と、前記判断手段によって該特定信号が含まれることを判断した際に、その旨を前記切替手段へ通知を行う通知手段と、を備え、前記切替手段は、前記通知手段からの通知を受けると、前記第２モードへ切り替えて、前記第２送受信手段によって情報を送信するようにした。
【００１７】
これにより、災害により携帯電話装置の通信周波数が使えないような状況下であっても、自身の存在を外部に知らしめることができるようになり、更に、これより重度な状況下である携帯電話装置を操作することすらできないような状況下であっても、自身の存在を外部に知らしめることができるようになった。
【００１８】
また、本発明の送受信部切替方法は、通常時に、他装置との通信に用いられる、第１の周波数帯域を用いて情報を送受信する第１送受信部と、前記第１の周波数帯域より周波数の小さい第２の周波数帯域を用いて情報を送受信する第２送受信部とを備える携帯電話装置の送受信部切替方法であって、所定期間をカウントし、該所定期間に到達すると、前記第１送受信部のみへの電源供給から、前記第１送受信部及び第２送受信部への電源供給へ、切り替えを行い、前記第１送受信部及び第２送受信部への電源供給時に、前記第２送受信部で受信した情報に緊急用の特定信号が含まれるか否かを判断し、この判断の結果、該特定信号が含まれることを判断した際に、前記第２送受信部のみへの電源供給へ、切り替えを行い、該判断の結果、該特定信号が含まれていないことを判断した際に、前記第１送受信部のみへの電源供給へ、切り替えを行うようにした。
【００１９】
これにより、災害により携帯電話装置の通信周波数が使えないような状況下であっても、自身の存在を外部に知らしめることができるようになり、更に、これより重度な状況下である携帯電話装置を操作することすらできないような状況下であっても、自身の存在を外部に知らしめることができるようになった。
【００２０】
【発明の実施の形態】
以下、本発明の実施の形態を図面を用いて説明する。
【００２１】
図１は、本発明の第１の実施の形態の携帯電話装置１の機能ブロック図である。
【００２２】
アンテナ１１は、携帯電話装置の周波数帯域（８００ＭＨｚ帯、１．５ＧＨｚ帯）の電波を送受信するために設計されているものであり、復変調部１２と接続されている。復変調部１２は、アンテナ１１を介して受信された該周波数の電波を復調すると共に、通信先への情報を該周波数へ変調し、アンテナ１１から送信出力するものである。なお、通信先への情報とは、マイク１５から入力された音声信号を音声入出力部１３を介して入力された情報や、キー２２を用いて操作部２１で生成されたキャラクタコードの群からなる電子メール情報等である。
【００２３】
音声入出力部１３は、通常の電話機能におけるスピーカ１４への音声出力やマイク１５からの音声入力をＤ／ＡまたはＡ／Ｄ変換処理するものである。
【００２４】
着信報知制御部１６は、電話がかかってきたときにユーザへ報知するものであり、ここでは、スピーカ１７と表示部１８を介し表示画面１９との２通り報知可能な構成を示している。
【００２５】
記憶部２０は、例えば、電話番号情報や、電子メールの着信履歴などを記憶しておくものである。
【００２６】
操作部２１は、ユーザが操作するキー２２からの入力を処理し、キャラクタコードに変換し、制御部２３へ出力するものである。また、操作部２１では、特殊キー操作入力があったときのみ、切替部２４へ切替信号を出力するものである。
【００２７】
制御部２３は、上記で説明してきた携帯電話装置１の基本的な機能ブロックの全体の制御を司るものである。
【００２８】
以上説明したの波線で囲まれた各機能を併せて、携帯電話機能２と称し、通常の携帯電話装置のほとんどが備えている。
【００２９】
一方、破線３は、本実施の形態で新たに付加した長波出力機能３である。
【００３０】
長波用アンテナ３３は、長波用の周波数帯域（３００ｋＨｚ帯以下）の電波を送信するために設計されているものであり、変調部３２と接続されている。長波を用いる理由は、従来の技術でも示したように地表面を伝わっていく性質を有しており、障害が多い箇所での伝達に有利であるためである。
【００３１】
変調部３２は、本携帯電話装置に固有の機器番号を格納する登録ＩＤ部３１と接続されており、この登録ＩＤ部から出力される登録ＩＤを長波帯域の所定の波長に変調し、アンテナ３３から出力するものである。
【００３２】
切替部２４は、バッテリ２５からの電源供給先の切り替えを行うものであり、操作部２１からの切替信号を受けるまでは常時、携帯電話機能２側へ電源供給されており、切替信号を受けると、以後、常時、長波出力機能３へ電源供給されるように切り替えるものである。切替部２４は、一旦、長波出力機能３に切り替えられると、特殊な処理を行わない限りそのままの状態になる。
【００３３】
なお、携帯電話装置は省電力化のための様々な電源制御を行っているが、この省電力化の電源制御は、本実施の形態と直接関係が無いので説明を省略する。
【００３４】
次に、図２に本携帯電話装置１の携帯電話機能２から長波出力機能３への切り替えに関するフローを示したものである。
【００３５】
操作部２１は、キー２２からキーが入力される（Ｓ１）と、入力されたキーをデコードする（Ｓ２）。なお、入力されたキーは、同時に複数入力されても良いように構成される。
【００３６】
操作部２２は、入力されたキーが、特殊操作を示すものであるか否かを判定する（Ｓ３）。特殊操作でないと判断すると、デコードされた結果を制御部２３へ供給し、その内容に応じた処理（他処理）が行われる（Ｓ４）。
【００３７】
一方、ステップＳ３で、特殊操作であると判断した場合には、操作部２２は切替部２４へ切替信号を通知する（Ｓ５）。切替部２４は、この切替信号の通知を受けると、バッテリ２５から携帯電話機能２への電源供給をストップするとともに、バッテリ２５から長波出力機能３への電源供給を開始するよう切り替える（Ｓ６）。
【００３８】
次に、電源供給が開始された長波出力機能３は、この携帯電話装置に固有の登録ＩＤを登録ＩＤ部３１より出力する（Ｓ７）。この出力された登録ＩＤは、変調部３２で、長波の所定の周波数に変調され、長波用アンテナ３３から電波が発信される（Ｓ８）。なお、この長波出力機能３のステップＳ７およびステップＳ８は、バッテリ２５からの電源供給がなくなるまで、動作しつづける。なお、ここでは、動作しつづけるとしたが、これに代え携帯電話機能のｏｎによってスイッチが携帯電話装置側に再び切り替わるようにしても良い。
【００３９】
以上説明した第１の実施の形態では、災害により携帯電話装置の通信周波数が使えないような状況下であっても、自身の存在を外部に知らしめることが可能な携帯電話装置を提供できるようになった。
【００４０】
この第１の実施の形態において、携帯電話装置１は、携帯電話機能２から、長波出力機能３へと動作が切り替わり、長波出力機能３によって、携帯電話装置１に固有の登録ＩＤが長波で出力される。そして、この出力されつづける長波信号は、図示しない長波受信装置で受信できるから、例えば捜索者は、受信した登録ＩＤにより、携帯電話装置１を所有するユーザの存在を知ることができ、また、そのＩＤを調べることなどすれば、誰が存在しているかを知ることができる。更に、この電波を利用し、例えばこの携帯電話装置を有するユーザの存在位置なども確認できるであろう。
【００４１】
次に、本発明の第２の実施の形態の携帯電話装置の機能ブロック図を図３で示し説明する。この第２の実施の形態は、第１の実施の形態に比較し、主に電源供給を長波出力機能側に切り替えるための切替部を外部より制御するようにしたものである。なお、図１と重複する機能ブロックについては、同一符号を付し、説明を省略する。
【００４２】
携帯電話機能２内の変更点としては、操作部４０が、キー入力の特殊操作によって、切替部４１へ切替信号を出力する機能が削除されたのみである。
【００４３】
一方、長波出力機能３内の変更点としては、第１実施の形態の変調回路３２が復変調回路４２に置き換えられ、外部からアンテナ３３を介し、長波入力を受けることもできるようにした。また、復変調回路４２は、入力した長波をデコードし、特定信号で有るか否かを判断し、特定信号である、特定信号でないのいずれかを、切替部４１へ通知する機能も有する。
【００４４】
切替部４１は、上記で説明した、操作部４０からの入力が無くなり、代わりに復変調部４２からの入力が新たに備わった。また、切替部４１は、本図では明示されないが、第１の実施の形態で備わっていた、携帯電話機能２への電源供給と長波出力機能３への電源供給との排他的な切り替え制御機能のほかに、新たに携帯電話機能２と長波出力機能３と同時に電源供給を行う機能を備えた。また、切替部４１は、新たに定期的な時間をカウントするタイマカウントを備えている。
【００４５】
次に図４を用い、携帯電話機能２から長波送信機能３への切り替えに関するフローを説明する。
【００４６】
まず、切替部４１にあるタイマカウンタをリセットし（Ｓ１１）、所定期間カウントする（Ｓ１２）。なお、このときは携帯電話機能２へのみ電源供給が行われている。前記タイマカウントにより、所定期間経過すると、切替部４１は、携帯電話機能２と長波出力機能３との両方へ電源供給を行う（Ｓ１３）。
【００４７】
電源供給された長波出力機能３は、長波アンテナ３３から入力される電波を復変調部４２にて復調し、デコードする（Ｓ１４）。このデコードの結果、受信した信号が特定信号じか否かを判断する（Ｓ１５）。
【００４８】
受信した信号が特定信号であると判別され無かった場合には、切替部４１へ特定信号でない旨の通知を行う（Ｓ１６）。これにより、切替部４１は、長波出力機能３への電源供給を止め、携帯電話機能２にのみ電源供給を行うよう切り替える（Ｓ１７）。そして、ステップＳ１１へ戻る。なお、特定信号は、緊急時において、外部より予め決めて、長波に乗せて流される情報である。
【００４９】
一方、デコードの結果、受信した信号が特定信号であった場合には、切替部４１へその旨通知を行う（Ｓ１８）。
【００５０】
切替部４１は、特定信号である旨通知を受けると、長波出力機能３への電源供給のみとし、携帯電話機能２への電源供給を止めるよう切り替える（Ｓ１９）。
【００５１】
復変調部４２は、ステップＳ１８で、受信した信号が特定信号であった旨の通知を切替部４１へ行った後、登録ＩＤ部３１から出力される登録ＩＤを入力する（Ｓ２０）。入力した登録ＩＤは所定の長波帯へ変調し（Ｓ２１）、長波アンテナ３３を介し、送信する（Ｓ２２）。
【００５２】
これらステップＳ２０〜Ｓ２２は、特別な処理が行われない限り、バッテリ２５の電力がなくなるまで、半永久的に実行しつづける。これによって、外部からの長波による特定信号によって携帯電話装置１が長波出力機能のみ動作するモードに変更されたままの状態になり、外部ではこの携帯電話装置からの長波を受信することにより誰かがいることがわかり、登録ＩＤを確認することにより、誰が居るかということがわかるようになる。なお、ここでは、半永久的としたが、これに代え携帯電話機能のｏｎによってスイッチが携帯電話装置側に再び切り替わるようにしても良い。
【００５３】
以上説明した第２の実施の形態によれば、災害により携帯電話装置の通信周波数が使えないような状況下であっても、自身の存在を外部に知らしめることが可能な携帯電話装置を提供できるようになるのみならず、これより重度な状況下である携帯電話装置を操作することすらできないような状況下であっても、自身の存在を外部に知らしめることが可能な携帯電話装置を提供できるようになった。
【００５４】
つまり、第２の実施の形態によれば、瓦礫などで、携帯電話装置の操作を行うことが出来ない、且つ、周期の大きい電波が届かないような場合においても、外部より、長波を用いて携帯電話装置の長波出力機能３をオンするように制御できるから、外部からの人の捜索を行う場合などにおいても、有効に利用できる。
【００５５】
以上説明してきた第１の実施の形態および第２の実施の形態においては、長波に限って説明してきたが、必ずしも長波に限ることなく、携帯電話の周波数帯域より１桁以下の周波数の小さい中波も長波と良く似た性質を持っており、中波を用いることも可能である。
【００５６】
【発明の効果】
以上説明したように本発明によれば、災害により携帯電話装置の通信周波数が使えないような状況下であっても、自身の存在を外部に知らしめることができるようになった。
【図面の簡単な説明】
【図１】  第１の実施の形態の携帯電話装置１の機能ブロック図。
【図２】  該第１の実施の形態に係る、携帯電話機能２から長波送信機能３への切り替えに関するフローチャート。
【図３】  第２の実施の形態の携帯電話装置１の機能ブロック図。
【図４】  該第２の実施の形態に係る、携帯電話機能２から長波送信機能３への切り替えに関するフローチャート。
【図５】  電波の周波数と呼称との一般例。
【符号の説明】
１・・・携帯電話装置    ２・・・携帯電話機能    ３・・・長波送信機能
１１・・・アンテナ    １２・・・復変調部    １３・・・音声入出力部
１４・・・スピーカ    １５・・・マイク    １６・・・着信報知制御部
１７・・・スピーカ    １８・・・表示部    １９・・・表示画面
２０・・・記憶部    ２１、４０・・・操作部    ２２・・・キー
２３・・・制御部    ２４、４１・・・切替部    ２５・・・バッテリ
３１・・・登録ＩＤ部    ３２・・・変調部    ３３・・・アンテナ
４２・・・復変調部
【図１】
0003958076.tif 000002
【図２】
0003958076.tif 000003
【図３】
0003958076.tif 000004
【図４】
0003958076.tif 000005
【図５】
0003958076.tif 000006